(57)【要約】【課題】受信側で４フィールドシーケンスを再生するＮＴＳＣ信号伝送装置を提供する。【解決手段】送信装置１では、ＮＴＳＣデコーダー１０によりＮＴＳＣ信号１００  を輝度信号１０２  と色差信号１０４  とに変換し、ＭＰＥＧエンコーダー１２により輝度信号１０２  と色差信号１０４  をＭＰＥＧ規格に従ってそれぞれ符号化して符号化データ１０６  を出力する。受信装置２では、受信した符号化データ２００  をＭＰＥＧデコーダー２０により復号して輝度信号２０２  および色差信号２０４  を生成し、ＧＣＲ  周期判定部２２により輝度信号２０２  からＧＣＲ  信号を検出して４フィールドシーケンス・タイミング信号２０６  を生成し、ＮＴＳＣエンコーダー２４により輝度信号２０２  および色差信号２０４  をＮＴＳＣ信号２０８  に変換する。この場合、ＮＴＳＣエンコーダー２４では、タイミング信号２０６  が示す４フィールドシーケンスに基づいてＮＴＳＣ信号２０８  の４フィールドシーケンスを送信装置１側の４フィールドシーケンスに一致させる。【選択図】        図１
2004221627.tif 000002
【特許請求の範囲】
【請求項１】
ＮＴＳＣ信号を輝度信号と色差信号とに変換して伝送する送信装置および受信装置からなるＮＴＳＣ信号伝送装置において、
前記受信装置は、受信した輝度信号に含まれるゴースト・キャンセラ信号に基づいてＮＴＳＣ信号の４フィールドシーケンスを生成するＧＣＲ  周期判定手段を含むことを特徴とするＮＴＳＣ信号伝送装置。
【請求項２】
請求項１に記載のＮＴＳＣ信号伝送装置において、前記受信装置は、受信した輝度信号および色差信号を、４フィールドシーケンスが前記ＧＣＲ  周期判定手段で生成された４フィールドシーケンスに一致するＮＴＳＣ信号に変換する変換手段を含むことを特徴とするＮＴＳＣ信号伝送装置。
【請求項３】
請求項１に記載のＮＴＳＣ信号伝送装置において、前記送信装置は、伝送される輝度信号にゴースト・キャンセラ信号を挿入するＧＣＲ  付加手段を含むことを特徴とするＮＴＳＣ信号伝送装置。
【請求項４】
請求項３に記載のＮＴＳＣ信号伝送装置において、前記送信装置は、ＮＴＳＣ信号に挿入されたゴースト・キャンセラ信号を検出する検出手段を有し、ゴースト・キャンセラ信号を検出したとき前記ＧＣＲ  付加手段に対して輝度信号へのゴースト・キャンセラ信号の挿入を停止させることを特徴とするＮＴＳＣ信号伝送装置。
【発明の詳細な説明】
【０００１】
【発明の属する技術分野】
本発明は、ＮＴＳＣ  信号を輝度信号および色差信号からなるコンポーネント信号に変換して伝送するＮＴＳＣ信号伝送装置に関する。
【０００２】
【従来の技術】
ＭＰＥＧ（Ｍｏｖｉｎｇ  Ｐｉｃｔｕｒｅ  Ｅｘｐｅｒｔｓ  Ｇｒｏｕｐ）−２などの符号化器では、輝度信号と色差信号からなるコンポーネント信号を符号化の対象としている。したがって、ＮＴＳＣ方式のコンポジット信号（ＮＴＳＣ信号）をＭＰＥＧ−２などの方式により伝送する場合、送信装置では、ＮＴＳＣデコーダーによりＮＴＳＣ信号を輝度信号および色差信号に変換し、符号化器により輝度信号および色差信号をそれぞれ符号化して符号化データを出力する。一方、受信装置では、受信した符号化データを復号器により復号して輝度信号および色差信号を再生し、ＮＴＳＣ  エンコーダーにより輝度信号および色差信号をＮＴＳＣ信号に変換する必要がある。
【０００３】
ところで、ＮＴＳＣ信号のフィールド周波数ｆｖ、水平同期周波数ｆｈ、色副搬送波周波数ｆｓｃ  の間には、ｆｈ＝５２５  ×ｆＶ／２、ｆｓｃ  ＝４５５  ×ｆｈ／２    （ただし、ｆＶ＝６０×１０００／１００１  ）という関係があり、１フレームは２：１インタレースによる２フィールドからなる。したがって、色副搬送波の位相は、ライン間およびフレーム間で反転するので２フレーム（４フィールド）周期で変化することになる。このような色副搬送波の位相変化を考慮すると、ＮＴＳＣ信号は２フレーム（４フィールド）で一巡するので、この関係を４フィールドシーケンスと呼んでいる。
【０００４】
なお、送信装置のＮＴＳＣデコーダーでは、ＮＴＳＣ信号を輝度信号と搬送色信号に分離する際に、上記の関係を利用してＹ／Ｃ  分離を行う２次元フィルタまたは３次元フィルタを用いるのが一般的である。
【０００５】
【特許文献１】
特開平７−２８４１２２号公報。
【０００６】
【発明が解決しようとする課題】
しかしながら、ＮＴＳＣ信号を完全に輝度信号（Ｙ信号）と搬送色信号（Ｃ信号）に分離することは極めて困難であるので、Ｙ／Ｃ  分離の際に、Ｙ信号のＣ信号への漏れやＣ信号のＹ信号への漏れが発生する。受信装置において、送信装置側のＮＴＳＣ信号の４フィールドシーケンスを再現できる場合には、送信側の４フィールドシーケンスに一致したＮＴＳＣ信号を再生できるので、漏れ信号による画質の劣化はあまり目立たない。しかし、４フィールドシーケンスを再現できない場合には、再生したＮＴＳＣ信号の４フィールドシーケンスが送信側のＮＴＳＣ信号の４フィールドシーケンスに一致しない場合が生じ、漏れ信号による画質劣化が非常に目立つようになる。
【０００７】
ところが、従来技術では、奇数フィールド（第１、第３フィールド）と偶数フィールド（第２、第４フィールド）を判定することは容易であったが、受信装置の復号器で復号されたコンポーネント信号に基づいて、送信装置に入力されるＮＴＳＣ信号の第１フィールドと第３フィールド、第２フィールドと第４フィールドをそれぞれ判定することは非常に困難であった。このため、受信装置で再生したＮＴＳＣ信号の４フィールドシーケンスが送信装置に入力されるＮＴＳＣ信号の４フィールドシーケンスと一致しない場合が生じ、Ｙ／Ｃ  分離の際に生ずる漏れ信号による画質の劣化を防止することが困難であるという問題があった。
【０００８】
また、ＭＰＥＧ−２規格では、ピクチャ符号化拡張子中のフィールドシーケンス（ｆｉｅｌｄ−ｓｅｑｕｅｎｃｅ）により４フィールドシーケンスを伝送することが可能であるが、これらのシンタックスを完全にサポートしている符号化／復号ＬＳＩ  は現在のところ非常に少なく、またサポートしていたとしても映像復号部でバッファが存在するため、フィールドシーケンスがどのフィールドに対応するかを判定することが困難である場合が多い。
【０００９】
本発明はこのような従来技術の欠点を解消し、ＮＴＳＣ信号を輝度信号と色差信号に変換して伝送する場合に、送信側におけるＮＴＳＣ信号の４フィールドシーケンスを受信側で再生することができるＮＴＳＣ信号伝送装置を提供することを目的とする。
【００１０】
【課題を解決するための手段】
本発明は上記の問題を解決するために、ＮＴＳＣ信号を輝度信号と色差信号とに変換して伝送する送信装置および受信装置からなるＮＴＳＣ信号伝送装置の受信装置は、受信した輝度信号に含まれるゴースト・キャンセラ信号を検出してＮＴＳＣ信号の４フィールドシーケンスを生成するＧＣＲ  周期判定手段を含むことを特徴とする。
【００１１】
この場合、受信装置は、受信した輝度信号および色差信号を、４フィールドシーケンスがＧＣＲ  周期判定手段で生成された４フィールドシーケンスに一致するＮＴＳＣ信号に変換する変換手段を含むのがよい。また、送信装置に、輝度信号にゴースト・キャンセラ信号を挿入するＧＣＲ  付加手段を設けることにより、ゴースト・キャンセラ信号が挿入されていないＮＴＳＣ信号に対応することができる。さらに、送信装置に、ＮＴＳＣ信号に重畳されているＧＣＲ  信号を検出する手段を設けることにより、ゴースト・キャンセラ信号が挿入されているかどうか不明のＮＴＳＣ信号にも対処することができる。
【００１２】
【発明の実施の形態】
次に添付図面を参照して本発明によるＮＴＳＣ信号伝送装置の実施例を詳細に説明する。図１は、ＮＴＳＣ信号伝送装置の実施例を示すブロック図である。この実施例は、ＮＴＳＣ信号を輝度信号および色差信号に変換しこれを符号化して伝送するＮＴＳＣ信号伝送装置であり、伝送路３により接続された送信装置１と受信装置２とから構成される。送信装置１に入力されるＮＴＳＣ信号１００  にはゴースト・キャンセラ信号（ＧＣＲ  信号）が重畳されており、受信装置２ではこのＧＣＲ  信号に基づいてＮＴＳＣ信号１００  の４フィールドシーケンスを再生している。なお、図１において、接続線に付した記号はその接続線に現れる信号を示す。
【００１３】
送信装置１は、ＮＴＳＣ信号１００  を符号化データ１０６  に変換して出力するものであり、ＮＴＳＣデコーダー１０とＭＰＥＧエンコーダー１２から構成される。ＮＴＳＣデコーダー１０は、ＮＴＳＣ信号１００  を輝度信号１０２  および色差信号１０４  に変換するカラーデコーダーであり、ＮＴＳＣ信号１００  をＹ／Ｃ  分離回路により輝度信号１０２  と搬送色信号とに分離し、さらに搬送色信号を色信号復調回路により復調して色差信号（Ｃｂ  ，Ｃｒ  ）１０４  を生成する。ＮＴＳＣデコーダー１０に接続されているＭＰＥＧエンコーダー１２は、ＮＴＳＣデコーダー１０から出力される輝度信号１０２  および色差信号１０４  を符号化するＭＰＥＧ符号器であり、輝度信号１０２  および色差信号１０４  を例えばＭＰＥＧ−２規格に従ってそれぞれ符号化し、輝度信号および色差信号のデータを含む符号化データ１０６  を出力する。
【００１４】
なお、本実施例では、ＮＴＳＣ信号１００  にＧＣＲ  信号が重畳されている。このＧＣＲ  信号は、ゴースト除去用基準信号であり、テレビジョン受像機においてゴーストを除去するために使用される。ＧＣＲ  信号は、図２に示すＧＣＲ  波形と図３に示すペデスタル波形とから構成され、図４に示すようにＮＴＳＣ信号の垂直帰線消去期間（ＶＢＩ  ）の第１８ラインと第２８１  ラインとにＧＣＲ  波形とペデスタル波形とを所定の順番に従って８フィールド周期で挿入される８フィールドシーケンスの信号である。ただし、図４において、波形の欄に記載されているＧＣＲ  はＧＣＲ  波形を示し、０はペデスタル波形を示す。ＮＴＳＣデコーダー１０では、このＧＣＲ  信号が重畳されている第１８ラインおよび第２８１  ラインについては、Ｙ／Ｃ  分離を行わずに全てＹ信号として処理することが望ましい。
【００１５】
送信装置１には伝送路３を介して受信装置２が接続されている。伝送路３は、送信装置１から出力される符号化データ１０６  伝送し、これを符号化データ２００  として受信装置２へ出力する。受信装置２は、受信した符号化データ２００  をＮＴＳＣ信号２０８  に変換するものであり、ＭＰＥＧデコーダー２０、ＧＣＲ  周期判定部２２およびＮＴＳＣエンコーダー２４から構成される。ＭＰＥＧデコーダー２０は、基本的にはＭＰＥＧエンコーダー１２により行われる符号化の逆処理を行うＭＰＥＧ復号器であり、符号化データ２００  をＭＰＥＧ−２規格に従ってそれぞれ復号し、輝度信号２０２  および色差信号２０４  を出力する。
【００１６】
ＭＰＥＧデコーダー２０に接続されているＧＣＲ  周期判定部２２は、輝度信号２０２  に含まれるＧＣＲ  信号に基づいてＮＴＳＣ信号の４フィールドシーケンス・タイミング信号２０６  を生成するものである。図５は、ＧＣＲ  周期判定部２２の一例を示すブロック図である。このＧＣＲ  周期判定部２２は、ＧＣＲ  抽出回路５０、８フィールドシーケンス判定回路５２および４フィールドシーケンス生成回路５４から構成される。ＧＣＲ  抽出回路５０は、外部から与えられる水平同期信号Ｈ、垂直同期信号ＶおよびＯＤＤ／ＥＶＥＮ信号に基づいてＮＴＳＣ信号の第１８ラインおよび第２８１  ラインに同期する水平同期信号を生成し、この同期信号を用いて輝度信号２０２  の第１８ラインおよび第２８１  ラインに重畳されているＧＣＲ  信号を抽出して、例えばＧＣＲ  波形を１、ペデスタル波形を０とする波形信号５００  を出力する。
【００１７】
ＧＣＲ  抽出回路５０に接続されている８フィールドシーケンス判定回路５２は、ＧＣＲ  抽出回路５０からの波形信号５００  に基づいて８フィールドシーケンスを判定する回路である。この判定が正しい場合、フィールドとＧＣＲ  信号は図４に示す関係を保つ。しかし、第１フィールドと第３フィールドの判定を誤った場合、フィールドとＧＣＲ  信号との関係は、図６の波形１または波形２のようになり、この関係から判定誤りを判断することができる。なお、ＮＴＳＣ信号は４フィールド周期であるので、フィールドとＧＣＲ  信号の関係は図７に示すようになる。ここで、波形１および波形２は判定が正しい場合、波形３および波形４は判定を誤った場合を示す。
【００１８】
このような８フィールドシーケンス判定回路５２は、例えば波形信号５００  を８波形分格納できるレジスタとＧＣＲ  信号検出手段で構成することができる。具体的には、ＧＣＲ  信号抽出回路５０から出力される波形信号５００  をレジスタに順次格納していく。そして、ＧＣＲ  信号検出手段により、波形信号５００  が入力される度にレジスタの内容をチェックし、波形信号５００  が１，０，１，０，０，１，０，１の順番でレジスタに格納されたことを検出した時、８フィールドシーケンス・タイミング信号５０２  を出力する。８フィールドシーケンス・タイミング信号５０２  は８フィールド周期で出力される。
【００１９】
８フィールドシーケンス判定回路５２に接続されている４フィールドシーケンス生成回路５４は、８フィールドシーケンス判定回路５２から出力される８フィールドシーケンス・タイミング信号５０２  に基づいて、４フィールドシーケンスのタイミングを示す４フィールドシーケンス・タイミング信号２０６  を再生する回路である。タイミング信号２０６  は、例えば２ビット構成とし、００により第１フィールドを、０１により第２フィールドを、１０により第３フィールドを、１１により第４フィールドをそれぞれ示すようにしてもよい。また、第１フィールドのタイミング示す信号であってもよい。
【００２０】
図１に戻って、ＭＰＥＧデコーダー２０とＧＣＲ  周期判定部２２とに接続されているＮＴＳＣエンコーダー２４は、ＭＰＥＧデコーダー２０から出力される輝度信号２０２  および色差信号２０４  をコンポジット信号のＮＴＳＣ信号２０８  に変換するカラーエンコーダーであり、色信号変調回路により色副搬送波を色差信号２０４  で変調して搬送色信号を生成し、この搬送色信号と輝度信号２０２  とを合成回路により合成してＮＴＳＣ信号２０８  を生成する。
【００２１】
この場合、ＮＴＳＣエンコーダー２４は、ＧＣＲ  周期判定部２２で生成された４フィールドシーケンス・タイミング信号２０６  に基づいて、ＮＴＳＣ信号２０８  の４フィールドシーケンスを送信装置１に入力されるＮＴＳＣ信号１００  の４フィールドシーケンスに一致させる。これにより、送信装置１でＹ／Ｃ  分離により生じた漏れ信号が、ＮＴＳＣ信号２０８  に与える画質劣化を低減することが可能となる。
【００２２】
このように構成された図１のＮＴＳＣ信号伝送装置の動作について説明すると、送信装置１のＮＴＳＣデコーダー１０では、入力されたＮＴＳＣ信号１００  を輝度信号１０２  と色差信号１０４  とに変換してＭＰＥＧエンコーダー１２へ出力する。ＭＰＥＧエンコーダー１２では、ＮＴＳＣデコーダー１０からの輝度信号１０２  および色差信号１０４  をＭＰＥＧ規格に従ってそれぞれ符号化し、輝度信号および色差信号のデータを含む符号化データ１０６  を符号化ビット列の形で出力する。符号化データ１０６  は、伝送路３により伝送され符号化データ２００  として受信装置２に入力される。
【００２３】
受信装置２のＭＰＥＧデコーダー２０では、入力された符号化データ２００  を復号して輝度信号２０２  と色差信号２０４  を生成する。輝度信号２０２  はＧＣＲ  周期判定部２２とＮＴＳＣエンコーダー２４に入力され、色差信号２０４  はＮＴＳＣエンコーダー２４に入力される。ＧＣＲ  周期判定部２２では、輝度信号２０２  からＧＣＲ  信号のＧＣＲ  波形およびペデスタル波形を抽出してその周期性を監視することにより８フィールド周期のＧＣＲ  信号を検出し、検出したＧＣＲ  信号に基づいてＮＴＳＣ信号の４フィールドシーケンスを生成して４フィールドシーケンス・タイミング信号２０６  を出力する。４フィールドシーケンス・タイミング信号２０６  はＮＴＳＣエンコーダー２４に入力される。
【００２４】
ＮＴＳＣエンコーダー２４では、輝度信号２０２  および色差信号２０４  をＮＴＳＣ信号２０８  に変換する。その場合、ＧＣＲ  周期判定部２２から与えられる４フィールドシーケンス・タイミング信号２０６  に基づいて、ＮＴＳＣ信号２０８  の４フィールドシーケンスを４フィールドシーケンス・タイミング信号２０６  が示す４フィールドシーケンスに一致させて、ＮＴＳＣ信号２０８  の４フィールドシーケンスを送信装置１に入力されるＮＴＳＣ信号１００  の４フィールドシーケンスに一致させる。これにより、Ｙ／Ｃ  分離で生じた漏れ信号による画質の劣化を低減することができる。
【００２５】
また、本実施例によれば、受信装置２で、ＮＴＳＣ信号１００  に重畳されているＧＣＲ  信号を利用して４フィールドシーケンスを再生しているので、ＮＴＳＣ信号の４フィールドシーケンスを伝送するための新たな信号線あるいは情報伝送経路を設ける必要がない。また、ＮＴＳＣ信号１００  に既に重畳されているＧＣＲ  信号を利用するので、送信装置１にＧＣＲ  信号を挿入する手段を設ける必要がなく、送信装置１の構成が簡単となる。
【００２６】
図８は、本発明によるＮＴＳＣ信号伝送装置の他の実施例を示すブロック図である。この実施例は、図１の実施例と同様に、ＮＴＳＣ信号を輝度信号と色差信号に変換し、これを符号化して伝送する送信装置４と受信装置２とから構成される。しかし、図１の実施例では、送信装置１に入力されるＮＴＳＣ信号１００  にＧＣＲ  信号が含まれていたが、本実施例では、送信装置４に入力されるＮＴＳＣ信号４００  にはＧＣＲ  信号が含まれていない。そこで、本実施例では、ＧＣＲ  信号を生成してＮＴＳＣ信号に重畳するＧＣＲ  付加部４２を送信装置４に設けている。なお、図８において、接続線に付した記号はその接続線に現れる信号を示す。
【００２７】
送信装置４は、ＮＴＳＣデコーダー４０、ＧＣＲ  付加部４２およびＮＴＳＣエンコーダー４４から構成される。ＮＴＳＣデコーダー４０は、図１のＮＴＳＣデコーダー１０と同じカラーデコーダーであり、入力されるＮＴＳＣ信号４００  をＹ／Ｃ  分離回路により輝度信号４０２  と搬送色信号とに分離し、分離した搬送色信号を色信号復調回路により復調して色差信号（Ｃｂ  ，Ｃｒ  ）４０４  を生成する。本実施例のＮＴＳＣデコーダー４０は、さらに、ＮＴＳＣ信号４００  の４フィールドシーケンスを判定し、そのタイミングを示す４フィールドシーケンス・タイミング信号４０６  を生成する。
【００２８】
ＮＴＳＣデコーダー４０に接続されているＧＣＲ  付加部４２は、図２のＧＣＲ  波形および図３のペデスタル波形を生成し、ＮＴＳＣデコーダー４０から出力される輝度信号４０２  に挿入するものである。図９は、ＧＣＲ  付加部４２の一例を示すブロック図である。このＧＣＲ  付加部４２は、ＧＣＲ  波形発生回路６０、セレクタ６２および制御信号発生回路６４から構成される。ＧＣＲ  波形発生回路６０は、外部から供給される水平同期信号Ｈに同期したＧＣＲ  波形６００  とペデスタル波形６０２  とを生成する。ＧＣＲ  波形６００  は図２に示すＧＣＲ  波形であり、ペデスタル波形６０２  は図３に示すペデスタル波形である。
【００２９】
セレクタ６２には、ＮＴＳＣデコーダー４０で生成された輝度信号４０２  と、ＧＣＲ  波形発生回路６０で生成されたＧＣＲ  波形６００  およびペデスタル波形６０２  とが入力されると共に、制御信号発生回路６２から制御信号６０４  、６０６  が供給される。セレクタ６２は、輝度信号４０２  の所定のラインにＧＣＲ  波形６００  またはペデスタル波形６０２  を挿入するものである。具体的には、制御信号６０４  が供給されたときＧＣＲ  波形６００  を選択し、制御信号６０６  が供給されたときペデスタル波形６０２  を選択し、制御信号６０４  、６０６  のいずれもが供給されないとき輝度信号４０２  を選択し、選択した信号を輝度信号４０８  として出力する。輝度信号４０８  はＧＣＲ  信号が挿入された輝度信号となる。
【００３０】
制御信号発生回路６４は、セレクタ６２を制御する制御信号６０４  、６０６  を生成するものである。具体的には、ＮＴＳＣデコーダー４０から与えられる４フィールドシーケンス・タイミング信号４０６  、外部から供給される水平同期信号Ｈ、垂直同期信号Ｖに基づいて、８フィールドシーケンスの第１、第３フィールドの第１８ラインおよび第６、第８フィールドの第２８１  ラインにそれぞれ同期する制御信号６０４  と、第２、第４フィールドの第２８１  ラインおよび第５、第７フィールドの第１８ラインにそれぞれ同期する制御信号６０６  とを８フィールド周期で生成し、セレクタ６２に供給する。
【００３１】
なお、本実施例では、ＧＣＲ  付加部４２によりＮＴＳＣ信号の第１８ラインおよび第２８１  ラインにＧＣＲ  波形またはペデスタル波形を挿入しているが、入力されるＮＴＳＣ信号４００  の第１８ラインおよび第２８１  ラインにＧＣＲ  信号以外の有意な信号が挿入されている場合には、現在全く使用されていないライン、例えば、第７ライン〜第９ラインのいずれかのラインおよび第２７０  ライン〜第２７２  ラインのいずれかのラインにＧＣＲ  信号を挿入してもよい。また、ＭＰＥＧ−２のＳＰ＠ＭＬ  、ＭＰ＠ＭＬ  やＭＰＥＧ−１などのように、ＶＢＩ  区間が符号化の対象に含まれていない場合には、第２２ラインおよび第２８５  ラインなどのように通常の映像モニタでは表示されない部分にＧＣＲ  信号を挿入してもよい。
【００３２】
図８に戻って、ＮＴＳＣデコーダー４０およびＧＣＲ  付加部４２に接続されているＭＰＥＧエンコーダー４４は、図１のＭＰＥＧエンコーダー１２と同じＭＰＥＧ符号化器であり、ＧＣＲ  付加部４２から出力される輝度信号４０８  とＮＴＳＣデコーダー４０から出力される色差信号１０４  を、例えばＭＰＥＧ−２規格に従ってそれぞれ符号化し、輝度信号および色差信号のデータを含む符号化データ４１０  を出力する。
【００３３】
送信装置４には伝送路３を介して受信装置２が接続されている。伝送路３は、送信装置４から出力される符号化データ４１０  を伝送し、これを符号化データ２００  として受信装置２へ出力する。受信装置２は、図１の受信装置２と同じ構成であり、ＭＰＥＧデコーダー２０により符号化データ２００  を復号して輝度信号２０２  および色差信号２０４  を生成し、ＧＣＲ  周期判定部２２により輝度信号２０２  に挿入されているＧＣＲ  信号に基づいてＮＴＳＣ信号の４フィールドシーケンスを再生し、ＮＴＳＣエンコーダー２４によりＭＰＥＧデコーダー３０から出力される輝度信号２０２  および色差信号２０４  を、その４フィールドシーケンスが送信装置４側の４フィールドシーケンスに一致するＮＴＳＣ信号２０８  に変換するものである。
【００３４】
このように構成された図８のＮＴＳＣ信号伝送装置の動作について説明すると、送信装置４のＮＴＳＣデコーダー４０では、入力されたＮＴＳＣ信号４００  を輝度信号４０２  と色差信号４０４  に変換し、輝度信号４０２  をＧＣＲ  付加部４２へ出力し色差信号４０４  をＭＰＥＧエンコーダー４４へ出力する。さらに、ＮＴＳＣデコーダー４０では、ＮＴＳＣ信号４００  の４フィールドシーケンスを判定し、そのタイミングを示す４フィールドシーケンス・タイミング信号４０６  をＧＣＲ  付加部４２へ出力する。
【００３５】
ＧＣＲ  付加部４２では、ＧＣＲ  波形およびペデスタル波形を生成し、輝度信号４０２  の第１フィールド〜第８フィールドの第１８ラインまたは第２８１  ラインに、図４に示す順序で挿入する。これを８フィールド周期で繰り返し実行する。ＧＣＲ  信号が挿入された輝度信号４０８  はＭＰＥＧエンコーダー４４に入力される。
【００３６】
ＭＰＥＧエンコーダー４４では、ＧＣＲ  付加部４２からの輝度信号４０８  およびＮＴＳＣデコーダー４０からの色差信号４０４  をＭＰＥＧ規格に従ってそれぞれ符号化し、符号化された輝度信号および色差信号のデータを含む符号化データ４１０  を符号化ビット列の形で出力する。符号化データ４１０  は伝送路３により伝送され、符号化データ２００  として受信装置２に入力される。
【００３７】
受信装置２では、図１の受信装置２の場合と同様にして、ＧＣＲ  信号から４フィールドシーケンスを再生し、４フィールドシーケンスが送信装置４に入力されるＮＴＳＣ信号４００  の４フィールドシーケンスに一致するＮＴＳＣ信号２０８  を生成する。これにより、図１の実施例の場合と同様に、送信装置４で生じた漏れ信号による画質の劣化を抑えることができる。
【００３８】
また、本実施例では、送信装置４においてＮＴＳＣ信号４００  にＧＣＲ  信号を挿入し、受信装置２においてＧＣＲ  信号に基づいて４フィールドシーケンスを再生しているので、ＮＴＳＣ信号の４フィールドシーケンスを伝送するための新たな信号線あるいは情報伝送経路を設ける必要がないという利点がある。
【００３９】
なお、送信装置４に入力されるＮＴＳＣ信号４００  にＧＣＲ  信号が重畳されているか否かが不明である場合には、ＮＴＳＣ信号４００  に重畳されているＧＣＲ  信号を検出する検出回路を設け、ＧＣＲ  信号を検出した場合には、ＮＴＳＣデコーダー４０で生成された輝度信号４０２  をそのままＭＰＥＧエンコーダー４４に出力するようにＧＣＲ  付加部４２を制御し、ＧＣＲ  信号を検出しない場合には、輝度信号４０２  にＧＣＲ  信号を挿入してＭＰＥＧエンコーダー４４に出力するようにＧＣＲ  付加部４２を制御すればよい。
【００４０】
なお、図１および図８に示す実施例による４フィールドシーケンス伝送方法は、放送機器、監視装置、映像蓄積装置、その他一般的な映像機器にも適用することが可能である。特に高い映像品質が求められる放送機器では、映像信号を伝送する場合に受信側にて４フィールドシーケンスを再現する必要があるため、映像信号を輝度信号と色差信号からコンポーネント信号で伝送する場合には、本実施例による４フィールドシーケンス伝送方法が特に好適である。
【００４１】
【発明の効果】
以上説明したように本発明によるＮＴＳＣ信号伝送装置によれば、ＮＴＳＣ信号を輝度信号および色差信号のコンポーネント信号に変換して伝送する場合に、送信装置ではＧＣＲ  信号が挿入されたコンポーネント信号を送信し、受信装置ではこのＧＣＲ  信号に基づいて４フィールドシーケンスを再生しているので、新たな信号線あるいは情報伝送経路を設けることなく４フィールドシーケンスを正確に伝送することができる。
【図面の簡単な説明】
【図１】本発明によるＮＴＳＣ信号伝送装置の実施例を示すブロック図である。
【図２】ＧＣＲ  信号のＧＣＲ  波形を示す図である。
【図３】ＧＣＲ  信号のペデスタル波形を示す図である。
【図４】ＧＣＲ  信号の構成とＧＣＲ  信号が挿入されるフィールドおよびラインを示す図である。
【図５】図１に示す受信装置におけるＧＣＲ  周期判定部の一例を示すブロック図である。
【図６】第１フィールドと第３フィールドが誤って判定された場合のＧＣＲ  信号、フィールドおよびラインの関係を示す図である。
【図７】ＮＴＳＣ信号の４フィールドシーケンスとＧＣＲ  信号の関係を示す図である。
【図８】本発明によるＮＴＳＣ信号伝送装置の他の実施例を示すブロック図である。
【図９】図８に示す送信装置におけるＧＣＲ  付加部の一例を示すブロック図である。
【符号の説明】
１  送信装置
２  受信装置
３  伝送路
１０  ＮＴＳＣデコーダー
１２  ＭＰＥＧエンコーダー
２０  ＭＰＥＧデコーダー
２２  ＧＣＲ周期判定部
２４  ＮＴＳＣエンコーダー
４２  ＧＣＲ  付加部
【図１】
2004221627.tif 000003
【図２】
2004221627.tif 000004
【図３】
2004221627.tif 000005
【図４】
2004221627.tif 000006
【図５】
2004221627.tif 000007
【図６】
2004221627.tif 000008
【図７】
2004221627.tif 000009
【図８】
2004221627.tif 000010
【図９】
2004221627.tif 000011